(57)【要約】      （修正有）【課題】脱着が容易で、脱着時や装着時に乳幼児に負担なく、安全で、位置調整の可動性が高く快適で、よだれ等の吸収能力が高く、首筋などのかぶれなどを防止しやすく、洗濯、乾燥が容易で安価に製造できるよだれかけを提供する。【解決手段】布でできた乳幼児用よだれかけであって、該よだれかけが、略円錐台状のスカート部と円柱状の首周り部を有し、略円錐台部の底面の円周の長さが、７０〜１００ｃｍであり、略円錐台部の上面の円周の長さが、２８〜３８ｃｍであり、略円錐台部の斜面の長さは、１２〜２０ｃｍであり、円柱部の円周の長さは略円錐台部の上面の円周の長さと同じであり、円柱部の高さは、１．５〜３ｃｍであり、略円錐部は、円錐部との接点から底部に向かって切込みを有し、円柱部は袋状であって、輪型の弾性体を内包し、略円錐台部は、布が底面部で折り返されて袋状を呈する構造を有することを特徴とする乳幼児用よだれかけ。【選択図】図１
2018071025.tif 000002
【特許請求の範囲】
【請求項１】
布でできた乳幼児用よだれかけであって、
該よだれかけが、略円錐台状のスカート部と円柱状の首周り部を有し、
略円錐台部の底面の円周の長さ（ａ）が７０ｃｍ以上、１００ｃｍ以下であり、
略円錐台部の上面の円周の長さ（ｂ）が２８ｃｍ以上、３８ｃｍ以下であり、
略円錐台部の斜面の長さ（ｃ）は１２ｃｍ以上、２０ｃｍ以下であり、
円柱部の円周の長さは略円錐台部の上面の円周の長さと同じであり、
円柱部の高さ（ｄ）は１．５ｃｍ以上、３ｃｍ以下であり、
略円錐台部は、円柱部との接点（ｈ）から底部（ｉ）に向かって一箇所にスリット（ｆ）を有し、
円柱部は袋状であって、該円柱部は輪型の弾性体を内包し、
略円錐台部は、布が底面部で折り返されて、上面部円柱部との接点で縫われることにより、袋状を呈する構造を有することを特徴とする、乳幼児用よだれかけ。
【請求項２】
略円錐台部底面の円周の長さ（ａ）と略円錐台部上面の円周の長さ（ｂ）の比ａ/ｂが２以上、３以下であり、
円柱部に内包された弾性体を最大限まで広げたときの円柱部の円周の長さが略円錐台の底面の円周の長さ（ａ）と同じであることを特徴とする、請求項１に記載の乳幼児用よだれかけ。
【請求項３】
略円錐台部のスリット（ｆ）において、袋状を呈するスカート部の表地と裏地が閉じられておらず、表地と裏地の間の空間に通じた口を有することを特徴とする、請求項１又は２に記載の乳幼児用よだれかけ。
【請求項４】
長さ（ｋ）が７０ｃｍ以上、１００ｃｍ以下であり、幅（ｌ）が２７ｃｍ以上、４６ｃｍ以下である矩形の布を、長辺を水平に置いたときに上部から１．５ｃｍ以上、３ｃｍ以下の位置（ｋ-ｌ）で上部から下部に向けて長辺の一片を折り返し、長辺の他方を上部から折り返した布と一部重なるように下部から折り返し、一部重なった二つ折りの布とし、該重なり部分を糸で縫い合わせて、上下二段の袋状の布とする工程、
上部袋状部内部に、２８．５ｃｍ以上、３９ｃｍ以下の長さのひも状又は帯状の弾性体を上部袋状部をひだを寄せ縮めながら挿入する工程、
該弾性体の両端を縫い合わせることにより輪型に結合した後、上部袋状部の両端を縫い合わせて固定する工程、
からなる請求項１乃至３のいずれか一項に記載の乳幼児用よだれかけの製造方法。
【発明の詳細な説明】
【技術分野】
【０００１】
本発明はよだれかけに関し、特に、乳幼児用よだれかけに関するものである。
【背景技術】
【０００２】
よだれかけとは、よだれ等（よだれ・吐しゃ物・食べこぼしなど）により衣服を汚さないように、衣服の上に掛けるように用いる衣料である。老人などの介護用や歯科治療用などにも用いられるが、主に、乳幼児に用いられるものが多く販売されている。
【０００３】
従来のよだれかけの主な形状を図３に示した。もっとも代表的な形状は、図３の（Ａ）に記載の前掛け式で首通し部をひも状のもので形成しているよだれかけである。また、図３の（Ｂ）のように略Ｕ字型の形状をし、Ｕ字の両端をボタンまたは面ファスナー（マジックテープ、マジックテープは（株）クラレの登録商標）で結合し首に掛けるタイプのものも知られている。更に、図３の（Ｃ）に記載のように、略円形の布の真ん中をくりぬいて、そのくりぬいた部分に頭を入れるタイプのもので略円形の一部を欠いたものもある。
【０００４】
（Ａ）の形状のものとしては、例えば、特許文献１「よだれかけ」に記載のように、よだれを受ける部分とひも状のものからなり、よだれを受ける部分にポケット部を設けたり、裏側に撥水加工や防水布を用いたりしたものが知られている。また、特許文献２「よだれかけ」に記載のように、ひもで固定するタイプであるが、よだれの吸収量を上げることができるように胸元にひだを寄せたタイプのものも知られている。また、特許文献３「涎掛け」には、ひもを結ぶのではなく、紐ストッパーで任意の位置にひもを固定できるようにしたものもある。更に、特許文献４「インスタントよだれかけ」に見られるように、一枚の布の一方の長端にひも通し部を設け、そこにひもを通してよだれかけとした構造のものも開示されている。このよだれかけは、乳幼児だけでなく、要介護者や病院患者などが食事摂取の際に食べこぼしなどをテーブルにこぼさないように受けるエプロンとして使用でき、取り外すとタオルとして用いることができるものである。
【０００５】
次に、（Ｂ）の形状のものとしては、例えば、特許文献５「よだれかけ」に記載のように、略Ｕ字の形状をし、首の後ろのＵ字の両端を固定する部分に面ファスナーを用いているタイプのものが考案されている。特許文献６「よだれかけ」には、略Ｕ字のよだれかけの両端をスナップボタンで留める構造のものが開示されている。
【０００６】
そして、（Ｃ）の形状のものとしては、特許文献７「ドーナツ型よだれかけ」に、切れ目が形成されたドーナツ型になったものが開示されている。その切れ目を雌雄型ホックで留めて首に固定する形状となっている。また、特許文献８「裏表数回使用、ポケット付花弁形よだれ掛け」や特許文献９「幼児用よだれ掛け」には、同心円状の布の一部を欠いて取り外せるように切り離し、よだれかけを装着した後にその部分を面ファスナーで接合するタイプのものが開示されている。また、素材が吸水性ポリマー入りの紙シートでできたものが、特許文献１０「よだれ掛け」に開示されている。更に、特許文献１１「よだれ掛け」にはドーナツ形で切れ目を有しておらず、同心円の内側の首を通す穴を大きめに開けて、ゴムで首のサイズに縮めたよだれかけが開示されている。
【０００７】
また、（Ｂ）と（Ｃ）を組み合わせたような、伸縮性の首通し部を有する前掛けのようなよだれかけであって、紙素材とプラスチック素材を組み合わせてできているものが、特許文献１２「使い捨てよだれ掛け」、特許文献１３「伸縮性のある首開口部を有する使い捨てよだれかけ」に開示されている。
【０００８】
これら乳幼児用のよだれかけは、乳幼児のよだれ等によって乳幼児の衣服などを汚さないことを主たる目的として設計されている。確かに、衣服の汚れを防止することは必要であり、そのために用いているのであるが、その目的以前に、よだれかけによって、乳幼児が危険にさらされたり、乳幼児が不快になったり、あるいはかぶれや湿疹を起こしたりしないことが最も重要である。また、デザインも着せる側が乳幼児に脱着や装着がさせやすいデザインであるより、脱着時や装着時に乳幼児に負担をかけないことや、快適な着心地であるようなデザインにすべきである。
【０００９】
更にまた、乳幼児の肌は刺激に対して敏感であり、異物によりかぶれや炎症を起こしやすく、汗など湿気を伴うと更にかぶれや炎症などを起こしやすくなってしまう。一方、乳幼児のよだれは非常にたくさん出る。一日１．５リットル出るともいわれている。そして、乳幼児は口の中の筋肉がまだ十分発達しておらず口を十分にふさぐことができないので、よだれはすぐに口からあふれて垂れてしまう。このよだれには、水分だけでなく、アルブミンやムチンなどの有機成分、ナトリウムやカリウムなどの無機成分など様々な成分が含まれている。そのため、水に比べ布に対する吸収速度が遅いのが特徴である。吸水性の良い素材を使っていても吸収されづらく、布の表面を流れてしまうことが多い。
【００１０】
そしてよだれにはアミラーゼなどの消化酵素や殺菌作用のある物質も含まれている。また、吐しゃ物には胃酸が含まれており、食べこぼしには塩分や糖分が多く含まれている。そのため、よだれ等が乳幼児の肌につくと、かぶれや湿疹を起こしてしまうことがよくある。よって、よだれ等はできるだけ乳幼児の肌につかないようにすることが重要である。また、よだれ等が付着したよだれかけに乳幼児の肌が触れ、肌を汚してしまわないように、よだれかけは頻繁に交換してあげるのが好ましい。その意味で、よだれかけはよだれ等が皮膚に付着するのを防ぐことと共に交換が容易で洗濯及び乾燥しやすいことも重要である。
【００１１】
すなわち、乳幼児用に求められるよだれかけの性能としては、乳幼児に負担なく脱着や装着をさせることができ、洗濯が容易で乾きやすいということと同時に、乳幼児の脱着時や装着時に安全で、位置調整の可動性が高く快適で、よだれ等のキャッチ、拭き取りの吸収能力が高く、かぶれなどを防止しやすい構造であるということが重要である。そして、乳幼児の着衣を汚さないことももちろん必要となる。
【００１２】
以上の機能に関して、従来のよだれかけを見てみると、まず（Ａ）のひも状のもので首に固定するよだれかけ、例えば特許文献１の「よだれかけ」、特許文献２の「よだれかけ」、特許文献４「インスタントよだれかけ」は、首の後ろの部分でひも状のものを蝶々結びのような形で結ぶことになる。両手でも乳幼児の首の後ろで適当な長さの位置で首ひもを蝶々結びにするのはなかなか困難であるが、まだ首の十分座っていない乳児の場合は、更に困難であるだけでなく、危険を伴うことになる。例えば、このひもタイプのよだれかけを装着するとき、乳児の頭を片手で支えながら、もう一方の手でよだれかけのひもを首の後ろで結んだりしなければならず、乳児の首を後ろにガクンと落としてしまう危険もあり、一人で結ぶことは大変困難である。
【００１３】
また、蝶々結びの場合、結び目が大きくこぶ状になってしまい、乳幼児の首の後ろを圧迫したり、こすったりしてしまうという問題がある。この点を改良するため、首の後ろではなく、横で結ぶ形にしたものも見受けられるが、激しく動く乳幼児には、首を圧迫したり、こすったりという点ではあまり変わりない。また、特許文献３「涎掛け」ではこのひもを結ぶ代わりに紐ストッパーを用いているが、このストッパーが首に当たり、首を圧迫してしまうという点やひも状のもので首すじがこすれてしまうという点は改善されていない。
【００１４】
更に、乳幼児の場合は、首周りの発汗量もかなり多く、ひも状のものでは皮膚との間に汗が溜まり、あせもができたり、ひもによる擦れでかぶれてしまったりする。
【００１５】
更にまた、このひもで固定する形状のものは、ひもに伸縮性がない場合、首に結んだひもの一部が、家具の角や出っ張りに引っかかり、首を絞めてしまう事故につながりかねないという問題もある。活発に動き回る乳幼児にとっては思わぬ事故につながりかねない。
【００１６】
また、（Ｂ）の形状のものは、首の後ろでボタンや面ファスナーで略Ｕ字の布の両端を固定するものがほとんどであるが、ボタンで留める場合は、首の後ろ部分に凸部ができるため、首を圧迫するという問題がある。また、ひもの場合と同様に、乳幼児の首の後ろで、片手でボタンをボタンホールに入れるのは、テクニックを要しなかなか難しいものである。授乳後に乳幼児がすぐに眠った場合には、しばらくの間はミルクの吐き戻しの可能性があり、よだれかけをつけたまま眠らせ、３０分程度後によだれかけを外してあげることが多いが、この取り外しの時もできるだけ乳幼児の睡眠を妨げないように取り外してあげたいものである。その意味でも、簡単によだれかけをかけ替えられるような構造のものが望まれている。
【００１７】
特許文献５「よだれかけ」のように面ファスナーで留めるタイプは、着せる側にとっては便利なものであるが、この面ファスナーに乳幼児の髪の毛が引っ掛かり、不快な感触を与えたり、よだれかけを外すときに、引っ掛かった頭髪が抜けてしまったりすることが往々にしてある。また、面ファスナーは比較的、簡単に装着できるが、外すときに意外と力が必要で、片手で面ファスナーを外すとき乳幼児の首に無理な力がかかってしまったりする危険がある。また、面ファスナーは洗濯時に他の洋服に引っ付いたり、糸くずがはさまって留める力が弱まり汚くなってしまうことが多く、洗濯への対応性に欠けるという問題もある。
【００１８】
特許文献６「よだれかけ」のようにスナップボタンで留める構造のものもあるが、首の後ろに凸部ができて圧迫してしまうことや、外すとき無理な力がかかってしまう危険があるという点は改善されていない。
【００１９】
また、紐でできたものほどではないが、この略Ｕ字型のよだれかけの場合も伸縮性がないので、よだれかけの一部がどこかに引っ掛かり、首周りが引っ張られ、乳幼児の首を圧迫する危険性が排除できない。
【００２０】
（Ａ）の形状のものも（Ｂ）の形状のものも、体の前面によだれ等が垂れることを防ぐ構造となっているが、前述したようによだれ等はなかなか布に吸収されず、布の表面を伝って流れることが良くある。よだれ等が皮膚につくとかぶれや湿疹の原因になるので、よだれ等が皮膚につかないように注意しているのだが、首の横や後ろはよだれが流れていってもなかなか気が付かないことが多い。また、（Ａ）や（Ｂ）の形状のものは、首の横や後ろが細いひも状あるいは帯状になっているため、よだれ等を吸収したり、肌につかないように阻止したりすることができず、その部分にかぶれを起こすことが頻繁に起こってしまう。
【００２１】
乳幼児が正面を向いているときはまだ良いが、横を向いている状態では、口から出たよだれ等が頬から首筋を伝って首の後ろ側に流れていき、首周りにかぶれを生じさせてしまう。正面から見てよく見えるところは、頻繁に拭いてあげられるが、首の横や後ろは、よだれ等で汚れていても見落としがちになり、かぶれや湿疹などを起こさせてしまうことになる。よって、前面だけでなく、首の周り全体を覆うタイプのよだれかけが好ましい。
【００２２】
首の横や後ろも守るという点では、（Ｃ）の形状のものが優れている。しかし、特許文献７「ドーナツ型よだれかけ」、特許文献８「裏表数回使用、ポケット付花弁形よだれ掛け」や特許文献９「幼児用よだれ掛け」は、いずれも、表面が凹凸の少ない平面的な布でできている。このような平面的な布の場合、垂れたよだれ等が布に吸収される前に布の表面を流れてしまうという問題がある。その点を改良するために、特許文献８「裏表数回使用、ポケット付花弁形よだれ掛け」では、同心円の布の略中間によだれ等を受けるための立体加工された嵩張らないポケットを有している。また、特許文献９「幼児用よだれ掛け」では、外周縁に汚れ物の落下防止の起立した布を設けている。しかし、この構造では、よだれ等が外周に向かって流れ落ちるのを防ぐことができるが、肝心の首筋に向かって流れ落ちるのを防ぐことができない。乳幼児は様々な姿勢をとることがあり、この構造では不十分だといえる。
【００２３】
特許文献１０「よだれ掛け」、特許文献１１「よだれ掛け」、特許文献１２「使い捨てよだれ掛け」、特許文献１３「伸縮性のある首開口部を有する使い捨てよだれかけ」では、首周りが、伸縮性のひだ状の構造となっており、首周りへのよだれの流れ落ちを防止できる構造となっている。しかし、特許文献１０、１２、１３は素材が吸水性ポリマーなどの紙素材であり、タオル地ほど吸水速度は速くなく、また、頬についたよだれ等をふき取ってあげる時に、ゴワゴワしてしまって乳幼児がいやがってしまう。使い捨てとするときは、紙おむつなどと同様に紙素材とすることは好ましいが、よだれのついた乳幼児の肌を拭いてあげるときは、タオル地やガーゼが好ましい。
【００２４】
特許文献１１「よだれ掛け」は、タオル地で形成されており、吸水性や肌触りの両面から好ましい。該よだれ掛けは、直径５０ｃｍの円形の布の中心に直径２４ｃｍの同心円の穴をあけたドーナツ状の布であって、その内側の縁に、当て布にくるまれた輪ゴム状紐を縫い付けて、直径８ｃｍになるように縮めた構造となっている。しかし、この構造では、同心円状に切った布の首通し口を、ひだを寄せながらゴム状のものが内包された当て布を縫い合わせていくことになり、製造工程が複雑で、機械的に製造することが難しく、高価な装置を用いるか、手縫いで製造することが求められる。よって、コスト高は免れない。
【００２５】
更に、当該よだれかけの構造は、裾に向かって、大きく広がっているため、首周りのひだがすぐになだらかになってしまい、よだれ等を保持する能力が低くなってしまうという欠点がある。また、いわゆる傘のような構造となっていてスリットがないため、全体がめくれ上がり、お猪口のような構造となってしまう可能性がある。
【００２６】
また、多量のよだれ等がよだれかけに付着した場合、よだれ等が裏側までしみ込んで、着衣を汚してしまうことがある。そのため、布の裏側に防水や撥水性を施したものも多くみられる。しかし、そのようなよだれかけは、通気性が悪く、乳幼児の胸が蒸れてしまい、湿疹やかぶれを助長してしまうことになる。よって、よだれ等の吸収性は高いが、裏側への浸透が阻止されており、かつ通気性が良い構造のものが望まれている。
【００２７】
特許文献１１「よだれ掛け」は、表布と裏布が縫い合わさった構造となっているが、このような構造の場合、一枚布よりもよだれ等が裏移りしにくいが、表布と裏布が接触しているため、裏側へのよだれ等の浸透を十分阻止できず、着衣を汚してしまう可能性がある。
【先行技術文献】
【特許文献】
【００２８】
【特許文献１】特開平１０−３３１００５号公報
【特許文献２】特開２００６−２８７１７号公報
【特許文献３】特許第４１５３８４７号公報
【特許文献４】特開２００３−２４７１０４号公報
【特許文献５】実用新案登録第３１１４０５２号公報
【特許文献６】特許第３６５０７４９号公報
【特許文献７】特開２０１３−２４９５５７号公報
【特許文献８】特開平１１−２１７０４号公報
【特許文献９】実開平７−４３４４７号公報
【特許文献１０】実開昭６２−１８６９０４号公報
【特許文献１１】実用新案登録第３１８８２４６号公報
【特許文献１２】特表２０００−５０４３８０号公報
【特許文献１３】特表２００２−５１１５３２号公報
【発明の概要】
【発明が解決しようとする課題】
【００２９】
本発明は上記のような従来の問題点に鑑みて、脱着が容易で、脱着時や装着時に乳幼児に負担なく、安全で、位置調整の可動性が高く快適で、よだれ等のキャッチ、拭き取りの吸収能力が高く、首筋などのかぶれを防止しやすい構造であり、洗濯及び乾燥が容易であると同時に、安価に製造できるよだれかけを提供することを目的とするものである。
【課題を解決するための手段】
【００３０】
本発明者等は、自らの育児の経験をもとに、乳幼児にやさしいよだれかけについて鋭意研究を続けてきた結果、高価で機能を盛り込んだものやデザイン性に優れたよだれかけではなく、シンプルな構造であっても、実用性に優れた形状のよだれかけとすることができることを見出し、本発明を完成させるに至った。
【００３１】
すなわち、第一の発明は、布でできた乳幼児用よだれかけであって、該よだれかけが、略円錐台状のスカート部と円柱状の首周り部を有し、略円錐台部の底面の円周の長さ（ａ）が７０ｃｍ以上、１００ｃｍ以下であり、略円錐台部の上面の円周の長さ（ｂ）が２８ｃｍ以上、３８ｃｍ以下であり、略円錐台部の斜面の長さ（ｃ）が１２ｃｍ以上、２０ｃｍ以下であり、円柱部の円周の長さは略円錐台部の上面の円周の長さと同じであり、円柱部の高さ（ｄ）は１．５ｃｍ以上、３ｃｍ以下であり、略円錐台部は、円柱部との接点（ｈ）から底部（ｉ）に向かって一箇所にスリット（ｆ）を有し、円柱部は袋状であって、該円柱部は輪型の弾性体を内包し、略円錐台部は、布が底面部で折り返されて、上面部円柱部との接点で縫われることにより、袋状を呈する構造を有することを特徴とする、乳幼児用よだれかけに存する。
【００３２】
第二の発明は、略円錐台部底面の円周の長さ（ａ）と略円錐台部上面の円周の長さ（ｂ）の比ａ/ｂが２以上、３以下であり、円柱部に内包された弾性体を最大限まで広げたときの円柱部の円周の長さが略円錐台の底面の円周の長さ（ａ）と同じであることを特徴とする、第１の発明に記載の乳幼児用よだれかけに存する。
【００３３】
第三の発明は、略円錐台部のスリット（ｆ）において、袋状を呈するスカート部の表地と裏地が閉じられておらず、表地と裏地の間の空間に通じた口を有することを特徴とする、第１の発明又は第２の発明に記載の乳幼児用よだれかけに存する。
【００３４】
第四の発明は、長さ（ｋ）が７０ｃｍ以上、１００ｃｍ以下であり、幅（ｌ）が２７ｃｍ以上、４６ｃｍ以下である矩形の布を、長辺を水平に置いたときに上部から１．５ｃｍ以上、３ｃｍ以下の位置（ｋ-ｌ）で上部から下部に向けて長辺の一片を折り返し、次に、長辺の他方を上部から折り返した布と一部重なるように下部から折り返し、一部重なった二つ折りの布とし、該重なり部分を糸で縫い合わせて、上下二段の袋状の布とする第一の工程、上部袋状部内部に２８．５ｃｍ以上、３９ｃｍ以下の長さのひも状又は帯状の弾性体を上部袋状部をひだを寄せ縮めながら挿入する第二の工程、該弾性体の両端を縫い合わせることにより輪型に結合した後、上部袋状部の両端を縫い合わせて固定する第三の工程、からなる第一の発明乃至第三の発明のいずれかひとつに記載の乳幼児用よだれかけの製造方法に存する。
【発明の効果】
【００３５】
本発明のよだれかけによれば、乳幼児に負担なく簡単に脱着、装着させることができ、洗濯及び乾燥、漂白も容易であり清潔に何度も用いることができる。そして、脱着が容易で、脱着時や装着時に安全で、快適で、よだれ等でかぶれたりすることを有効に防止できる。更に、本発明のよだれかけは、首周り全面を覆う形状を有していることから、正面が汚れたときでも少し回転させることにより、新しい面を正面に持ってくることができ、３６０度全周を使うことができる。更にまた、スカート部にスリットを有していることから、就寝時などスカート部の片方だけを乳幼児の顔の横に来るように折り曲げて用いることができ、よだれ等などで乳幼児の着衣だけでなくシーツやベビーカーが汚れることも防止できる。また、乳幼児に多いミルク等の吐き戻しや食事中の食べこぼしをキャッチし吸収することに優れている。そしてまた、本発明のよだれかけは、製造が容易で、複雑な裁断や縫製を必要とせず、安価に製造することができる。
【図面の簡単な説明】
【００３６】
【図１】本発明のよだれかけの正面図（左）と背面図（右）。
【図２】本発明のよだれかけの上部の弾性体内包部を広げたときの正面図（左）と背面図（右）。
【図３】従来法のよだれかけ。（Ａ）前掛け式で首通し部をひも状のもので形成しているもの。（Ｂ）略Ｕ字型の形状をし、Ｕ字の両端を結合し首に掛けるタイプのもの。（Ｃ）略円形の布の真ん中をくりぬいて、そのくりぬいた部分に頭を入れるタイプのもの。
【図４】本発明のよだれかけの製造に用いる矩形の布とその折り返し部を示した図。
【図５】本発明のよだれかけの第一の製造工程を示した図。
【図６】本発明のよだれかけの第二の製造工程を示した図。
【図７】本発明のよだれかけの第三の製造工程を示した図。
【発明を実施するための形態】
【００３７】
次に、本発明の実施の形態について説明する。
【００３８】
本発明のよだれかけは、図１にあるように、背部に一本のスリット(f)を有する袋状の略円錐台形のスカート部と内部に弾性体を有する閉じた袋状の円柱形の襟部を有する立体的な形状を持つ布である。
【００３９】
本発明のよだれかけの特徴の一つは、襟部を構成する布が袋状になっており、その内部に輪型の弾性体を有し、その弾性体の弾力で襟部をスカート部の底面の円周の長さまで広げることができる構造となっていることである。そのことにより、本発明のよだれかけは、乳幼児に頭からかぶせるようにして、容易に着せることができる。この操作なら、首の座らない乳児に着せるときにおいても、片手でしっかりと頭を支えながら、容易にかつ安全に着せることができる。よだれかけの装着時には乳幼児が動き回ったり、よだれかけを引っ張ったりしても首周りの弾性体による伸縮性があり安全である。また、よだれかけを脱がせるときも、本発明のよだれかけの首周りをゆっくり伸ばすように引っ張り上げることによって、簡単に脱がせることができる。
【００４０】
本発明に用いられる弾性体は、伸縮性を有するものであればよいが、特に、ゴム状のものが適度な弾力性を持っており好ましい。また、乳幼児の装着時の快適性向上という点で、帯状の平ゴムが特に好ましい。平ゴムの幅としては、袋状部に挿入できる幅であればよい。通常、幅が５ｍｍから２０ｍｍ程度の平ゴムが選ばれる。
【００４１】
また、本発明に用いられる布としては、柔らかい布であればどのようなものでも用いることができるが、乳幼児の肌に接触するという点で天然素材のものが好ましく、頬についたよだれ等をよだれかけのスカート部で拭いてあげたりすることができるという点で、タオル地、ガーゼなどが好ましい。タオル地やガーゼは、通気性が優れているという点でも好ましい。首周りにできる布のひだの形状も重要なので、タオル地が特に好ましい。紙おむつに使われている高分子系の化学繊維素材を含む紙製のものもよだれかけとして考案されているが、頬についたよだれを拭いてあげることを考えると肌触りという点でこれらのものは好ましくない。また、よだれ等がよだれかけの裏に浸透しないように裏が防水性や撥水性になっている布もあるが、このようなものは、乳幼児の胸の蒸れをひきおこすので好ましくない。
【００４２】
また、よだれが大量に出る時期などは特に頻繁によだれかけを取り換えてあげたいものである。よって、よだれかけは、安価で、簡単に洗濯ができ、何度も使えるものが好ましい。その意味でも、タオル地は好ましく、よだれかけの構造も本発明のよだれかけのようにシンプルなものが好ましい。
【００４３】
更にまた、本発明のよだれかけは、略円錐台形のスカート部も布が裾から折り返されて二重構造となっている。単に二枚の布を重ねただけの構造ではないのが特徴である。単に布を二枚重ねただけでは、二枚の布が重なり合っており、よだれ等の浸透を十分阻止できない。本発明のよだれかけは、一枚の布を折り目を付けることなく二つに折り返した構造となっているが、そのことにより表と裏の布の間に空間が確保され、よだれが裏布まで浸透しにくく、かつ、通気性が確保される構造となっている。
【００４４】
そして、本発明のよだれかけは、図１からもわかるように首周り全面を覆う形状を有している。そして、首周りで自由に回転することができる構造となっている。そのことから、正面がよだれで汚れたときでも少し回転させることにより、新しい面を正面に持ってくることができ、３６０度全周を使うことができるという利点もある。  
【００４５】
本発明のよだれかけの二つ目の特徴は、襟部及び、スカート部にひだを有することである。このひだによって、よだれかけに落ちたよだれ等を効果的に保持できる。前述のように、よだれは普通の水とは違い、布に吸収される速度が遅く、布の表面を流れ落ちてしまうことが良くある。本発明のよだれかけでは深い溝のひだが首から裾に向かって広がるように形成されているので、布に対する吸収とは別にこのひだによってよだれを保持することができる。そして、特に、首に向かって流れるのを効果的に阻止できる構造となっている。
【００４６】
このように、本発明のよだれかけのひだはよだれ等を保持するために重要な役割を担っており、ひだであればどのようなものでもよいというわけではない。特に粘調なよだれを保持するためにはひだの深さと幅が重要な因子となる。本発明のよだれかけは、布の持つよだれ等の吸収性だけではなく、ひだを寄せることにより、ひだの間によだれ等を保持して、よだれ等がよだれかけの表面を流れるのを阻止する構造となっている。このひだも、あまり細かく寄せてしまうと、ひだの間によだれを保持できず、よだれ等が流れてしまう。一方、ひだの間隔が開きすぎるとひだの効果がなくなってしまう。
【００４７】
本発明のよだれかけにおいて、７０ｃｍ以上、１００ｃｍ以下の円周の長さの布を弾性体によって、２８ｃｍ以上、３８ｃｍ以下の円周の長さになるように、ひだを寄せながら縮めて用いるが、特に、縮める前の円周の長さが縮めた後の円周の長さの２倍から３倍であることが好ましい。この比にすることにより、適度な山と谷を有することとなり、よだれ等を保持しやすいひだとなる。
【００４８】
そして、本発明のよだれかけの三つ目の特徴は、略円錐台形のスカート部に図１の（ｈ）から（ｉ）にかけて、スリット（ｆ）を有していることである。このスリットを有することにより、よだれかけのスカート部がお猪口状態となるのを防ぐだけでなく、片方だけをめくり上げることも可能となる。そのことにより、例えば、就寝時などスカート部の片方だけを乳幼児の顔の横に来るように折り曲げて用いることができ、よだれ等で乳幼児の着衣だけでなくシーツやベビーカーが汚れることも防止できる。また、乳幼児が急にミルクを吐き戻したりしたときなども、このスリットがあることによりよだれかけのスカート部の可動性が高くなり、簡単に拭いたり、つかんだりが可能となる。
【００４９】
そしてまた、このスカート部のスリットにおいて、表地と裏地が閉じられておらず、表地と裏地の間の空間に通じた口を有することも重要である。この口が開いていることにより、表地と裏地の間の空間が保たれ、通気性と裏地へのよだれが移るのを効果的に防止している。また、通気性がよいことから洗濯時に乾燥がし易くなる。
【００５０】
次に、本発明のよだれかけの大きさについて説明する。
【００５１】
本発明のよだれかけの裾周りの円周の長さ（ａ）（スリットを閉じた状態での略円錐台部底部の円周の長さ）であるが、乳幼児の成長度合いによっても異なるが、７０ｃｍ以上、１００ｃｍ以下が好ましい。７０ｃｍ未満では、乳幼児の肩を十分覆う長さにならず、窮屈になってしまい、乳幼児の動きを制約してしまう。また、１００ｃｍを超える長さでは、裾がフレアのように広がってしまい、簡単にめくれあがってしまう可能性が大きくなり好ましくない。また、ひだが多すぎることにより不快感が生じてしまい、更に洗濯時に乾燥しづらくなる等の問題もある。
【００５２】
そして、本発明のよだれかけの首周りの円周の長さ（ｂ）であるが、乳幼児の頭の大きさや乳幼児の成長度合いによっても異なるが、布地の厚み等を考慮したひだの形状や、装着時に上下左右の微妙な位置調整を容易に可能とする可動性の維持から、２８ｃｍ以上、３８ｃｍ以下が好ましい。２８ｃｍ未満では、首周りが窮屈になり乳幼児に不快感をいだかせることになり、３８ｃｍを超える長さだと首周りによだれ等が垂れることを防ぎにくくなり、首周りにかぶれ等を起こしやすくなるので好ましくない。
【００５３】
本発明のよだれかけの丈の長さ（ｃ）であるが、乳幼児の成長度合いによっても異なるが、１２ｃｍ以上、２０ｃｍ以下が好ましい。１２ｃｍ未満では、よだれ等を十分にキャッチできず、着衣を汚してしまう可能性が大きくなる。一方、２０ｃｍを超える長さにするとハイハイ等をした時、手に引っかかってしまい転んだり、自分でフォークやスプーンを持って食事する際も、よだれかけが引っ掛かり手の動きを阻害したり、布の一部が口に入ってしまう可能性があるので好ましくない。また、長すぎると夏などは胸の部分が蒸れたりして、乳幼児に不快感をいだかせてしまう可能性がある。
【００５４】
次に、よだれかけのいわゆる襟の高さ（ｄ）であるが、弾性体を通して固定できる高さであれば問題ないが、１．５ｃｍ以上、３ｃｍ以下であることが好ましい。１．５ｃｍ未満だと、弾性体を通したり固定したりしにくいので好ましくなく、３ｃｍを超えると襟が立ってしまい乳幼児に窮屈な感じを与えてしまうことがあるので好ましくない。
【００５５】
また、弾性体はその両端各０．５ｃｍ以上、１ｃｍ以下の縫い代（ｐ）部分を設け、その部分を縫って輪型に結合する。弾性体の両端を結んだりして結合することも可能であるが、そのような固定の仕方だと凸部ができて、乳幼児の首の後ろを圧迫することになり、乳幼児に不快感を与えてしまうことになる。この点は、布どうしを（ｇ）から（ｈ）の位置で結合するときにも言える。布の両端を縫い合わせるときも、段差ができないように、縫い合わせたところが重ならず平らになるように縫い合わせることが重要である。
【００５６】
更にまた、本発明のよだれかけは、非常に作りやすいことも重要な特徴である。本発明のよだれかけは、一枚の矩形の布と一本の平ゴムなどの弾性体を特殊な裁断をすることなく、また特殊な技術や装置を用いることなく、単に縫い合わせるだけで作ることができる。
【００５７】
本発明のよだれかけの製造工程を説明する。まず、図４に材料となる矩形の布とその折り返し位置を示した。第一工程として、長さ（ｋ）が７０ｃｍ以上、１００ｃｍ以下であり、幅（ｌ）が２７ｃｍ以上、４６ｃｍ以下である矩形の布を用意する。そして該布を図４に示したように長辺を水平にして置き、布の上部から１．５ｃｍ以上、３ｃｍ以下のところ（図４の(ｋ)から（ｌ）の破線のライン）で長辺の一片を折り返し、二つ折りにする。次に、長辺の他方を上部から折り返した布と一部重なるように下部（ｍ）から（ｎ）で折り返し、一部重なった二つ折りの布とする。該重なりは、両端の布を縫い合わせることができる重なりであればよいが、通常５ｍｍ程度でよい。次に、この折り返した上下の布の重なり部分を糸で縫い合わせて、上下二段の袋状の布（図５）とする。
【００５８】
そして第二工程として、図６にあるように上部袋状部をひだを寄せながら縮め、該上部袋状部内部にひも状又は帯状の弾性体（ｏ）を挿入する。挿入する弾性体（ｏ）は、出来上がったよだれかけの首周り寸法（ｂ）に縫い代（ｐ）の０．５ｃｍから１ｃｍを足した２８．５ｃｍ以上、３９ｃｍ以下の長さにカットしたものを用いる。
【００５９】
最後に第三工程として、図7のように該弾性体の両端を縫い合わせ輪型に結合し、最後に、上部袋状部の両端（ｇ）と（ｇ’）、（ｈ）と（ｈ’）を合わせ、この上端の袋状部を縫い合わせて固定して本発明のよだれかけが完成する。
【００６０】
該第三工程では、弾性体と袋状部の両端部を一度に縫合して固定することも可能である。
【００６１】
以上のように、単に布と弾性体の縫合だけでよだれかけが完成する。タオル地と平ゴムを用いた場合、素材コストもかからず、製造工程も簡単でシンプルで特殊な装置、工程を必要とせず、製品コストを低く抑えることができる。
【産業上の利用可能性】
【００６２】
本発明は、乳幼児のよだれかけとして用いることができる。
【符号の説明】
【００６３】
ａ：よだれかけのスカート部にあたる略円錐台部の底面の円周の長さ
ｂ：よだれかけの襟部にあたる円柱部の円周の長さ(スカート部にあたる略円錐台部の上面の円周の長さと同じ)
ｃ：よだれかけのスカート部にあたる略円錐台部の斜面の長さ
ｄ：よだれかけの襟部にあたる円柱部の高さ
ｆ：よだれかけのスカート部のスリット
ｇ，ｇ’：よだれかけの襟部にあたる円柱部の結合部の縫い目の上部位置
ｈ，ｈ’：よだれかけの襟部にあたる円柱部の結合部の縫い目の下部位置（スカート部のスリットの上部と同じ）
ｉ：よだれかけのスカート部のスリットの下部
ｋ-ｌ：矩形布の上部を折り返す位置を示している。
ｍ-ｎ：矩形布の下部を折り返す位置を示している。
ｏ：弾性体（平ゴムなど）
ｐ：縫い代の長さ
【図１】
2018071025.tif 000003
【図２】
2018071025.tif 000004
【図３】
2018071025.tif 000005
【図４】
2018071025.tif 000006
【図５】
2018071025.tif 000007
【図６】
2018071025.tif 000008
【図７】
2018071025.tif 000009
【手続補正書】
【提出日】平成29年1月5日(2017.1.5)
【手続補正１】
【補正対象書類名】特許請求の範囲
【補正対象項目名】全文
【補正方法】変更
【補正の内容】
【特許請求の範囲】
【請求項１】
布でできた乳幼児用よだれかけであって、
該よだれかけが、略円錐台状のスカート部と円柱状の首周り部を有し、
略円錐台部の底面の円周の長さ（ａ）が７０ｃｍ以上、１００ｃｍ以下であり、
略円錐台部の上面の円周の長さ（ｂ）が２８ｃｍ以上、３８ｃｍ以下であり、
略円錐台部の斜面の長さ（ｃ）は１２ｃｍ以上、２０ｃｍ以下であり、
円柱部の円周の長さは略円錐台部の上面の円周の長さと同じであり、
円柱部の高さ（ｄ）は１．５ｃｍ以上、３ｃｍ以下であり、
略円錐台部は、円柱部との接点（ｈ）から底部（ｉ）に向かって一箇所にスリット（ｆ）を有し、
円柱部は袋状であって、該円柱部は輪型の弾性体を内包し、
略円錐台部は、布が底面部で折り返されて、上面部円柱部との接点で縫われることにより、袋状を呈する構造を有し、
略円錐台部底面の円周の長さ（ａ）と略円錐台部上面の円周の長さ（ｂ）の比ａ/ｂが２以上、３以下であり、
円柱部に内包された弾性体を最大限まで広げたときの円柱部の円周の長さが略円錐台の底面の円周の長さ（ａ）と同じであることを特徴とする、乳幼児用よだれかけ。
【請求項２】
略円錐台部のスリット（ｆ）において、袋状を呈するスカート部の表地と裏地が閉じられておらず、表地と裏地の間の空間に通じた口を有することを特徴とする、請求項１に記載の乳幼児用よだれかけ。
【請求項３】
長さ（ｋ）が７０ｃｍ以上、１００ｃｍ以下であり、幅（ｌ）が２７ｃｍ以上、４６ｃｍ以下である矩形の布を、長辺を水平に置いたときに上部から１．５ｃｍ以上、３ｃｍ以下の位置（ｋ-ｌ）で上部から下部に向けて長辺の一片を折り返し、長辺の他方を上部から折り返した布と一部重なるように下部から折り返し、一部重なった二つ折りの布とし、該重なり部分を糸で縫い合わせて、上下二段の袋状の布とする工程、
上部袋状部内部に、２８．５ｃｍ以上、３９ｃｍ以下の長さのひも状又は帯状の弾性体を上部袋状部をひだを寄せ縮めながら挿入する工程、
該弾性体の両端を縫い合わせることにより輪型に結合した後、上部袋状部の両端を縫い合わせて固定する工程、
からなる請求項１又は２に記載の乳幼児用よだれかけの製造方法。